(57)【要約】  【課題】係合孔のピッチに誤差がある場合でもこれら係合孔にそれぞれ係合爪を確実に係合させることができる部材の取付構造を提供する。  【解決手段】間仕切り本体２に形成した第１係合孔２１１Ａ及び第２係合孔２１１Ｂに、パネル３に設けた第１係合爪６及び第２係合爪７をそれぞれ係合させることにより間仕切り本体２にパネル３を取り付けるようにした部材の取付構造において、第１係合爪６に、第１係合孔２１１Ａに弾性係合可能な弾性係合爪部６５と、第１係合孔２１１Ａに対する第１係合爪６の相対位置を弾性係合爪部６５が第１係合孔２１１Ａに係合し得る位置に位置決めする位置決め部６６とを設けるとともに、第２係合爪７に、第１係合孔２１１Ａと第２係合孔２１１Ｂとのピッチの誤差を許容しつつ第２係合孔２１１Ｂに係合可能な下向爪部７３を設けた。【選択図】図８
2006241706.tif 000002
【特許請求の範囲】
【請求項１】
一の部材に第１係合孔及び第２係合孔を所定ピッチで設け、他の部材に前記第１係合孔及び第２係合孔にそれぞれ係合可能な第１係合爪及び第２係合爪を設け、これら第１係合爪及び第２係合爪をそれぞれ第１係合孔及び第２係合孔に係合させることにより前記一の部材に前記他の部材を取り付けるようにした部材の取付構造であって、
前記第１係合爪が、前記第１係合孔に弾性係合可能な弾性係合爪部と、前記第１係合孔に対する当該第１係合爪の相対位置を前記弾性係合爪部が第１係合孔に係合し得る位置に位置決めする位置決め部とを備えたものであり、
前記第２係合爪が、前記第１係合孔と前記第２係合孔とのピッチの誤差を許容しつつ前記第２係合孔に係合可能なものであることを特徴とする部材の取付構造。
【請求項２】
前記位置決め部が、前記第１係合爪を前記第１係合孔に係合させた係合状態において、前記第１係合孔の縁部のうち前記弾性係合爪部が当接して弾性係合する縁部とは異なる縁部に当接又は近接するものである請求項１記載の部材の取付構造。
【請求項３】
前記第１係合孔が略矩形状をなすものであり、前記第１係合爪を前記第１係合孔に係合させた係合状態において、前記弾性係合爪部が第１係合孔の対向する対向縁部の一方の縁部に当接して弾性係合し、前記位置決め部が他方の縁部に当接又は近接するものである請求項１又は２記載の部材の取付構造。
【請求項４】
前記第２係合爪が、第１係合孔と第２係合孔とのピッチに応じて、第２係合孔との係合状態を維持したまま第２係合孔に対する相対位置をピッチ方向に沿って変更し得るように設定している請求項１、２又は３記載の部材の取付構造。
【請求項５】
前記一の部材又は前記他の部材の何れか一方が、間仕切りを構成する間仕切り本体であり、他方が前記間仕切り本体の少なくとも前後面の何れか一方に取り付けられるパネルであり、相互に対向する前記間仕切り本体のフレーム又は前記パネルの内面部の何れか一方に前記第１係合孔及び前記第２係合孔を設け、他方に前記第１係合爪及び第２係合爪を設けている請求項１、２、３又は４記載の部材の取付構造。
【請求項６】
前記第１係合孔及び前記第２係合孔を前記間仕切り本体の縦フレームの高さ方向に沿って設けるとともに、前記第１係合爪及び第２係合爪を前記パネルの内面部の高さ方向に沿って設け、前記第１係合爪の前記弾性係合爪部が、前記第１係合孔の上縁部に当接して弾性係合する上向爪であり、前記位置決め部が、第１係合孔の下縁部に当接又は近接するものである請求項５記載の部材の取付構造。
【請求項７】
前記第２係合爪が、前記第２係合孔の下縁部に引掛可能な下向爪部を備えたものである請求項６記載の部材の取付構造。
【発明の詳細な説明】
【技術分野】
【０００１】
本発明は、一の部材に設けた係合孔に他の部材に設けた係合爪を係合させることにより、一の部材に他の部材を取り付けるようにした部材の取付構造に関するものである。
【背景技術】
【０００２】
従来より、オフィス等において空間を仕切る間仕切りとして、骨格を形成する間仕切り本体の前後面にパネルを取り付けたものが知られている。このような間仕切りは、間仕切り本体の縦フレームに高さ方向に沿って係合孔を所定ピッチで形成するとともに、パネルの内面部に係合孔に係合可能な第１係合爪及び第２係合爪を設け、これら第１係合爪及び第２係合爪をそれぞれ異なる係合孔に係合させることにより、間仕切り本体にパネルを取り付けているのが通例である。
【０００３】
具体的には、特許文献１に示すように、第１係合爪に弾性変形可能な上向爪でる弾性係合爪部を設け、他方第２係合爪に下向爪部を設け、この下向爪部を、所定の２位置にある係合孔のうち下方に位置する係合孔の下縁部に引掛け、次いでこの引掛部位を支点としてパネルを間仕切り本体に近付く方向に回転させることにより、弾性係合爪部が、所定の２位置にある係合孔のうち上方に位置する係合孔の上縁部に当接しながら弾性変形し、且つこの係合孔を通過した時点で弾性復帰して係合孔に係合するように構成している。
【０００４】
このように、下方に位置する係合孔の下縁部に下向爪部を係合させ且つ上方に位置する係合孔の上縁部に弾性係合爪部を係合させる取付構造を採用しているため、上方に位置する係合孔の上縁部と下方に位置する係合孔の下縁部との離間距離を、弾性係合爪部と下向爪部との離間距離に正確に対応させていることが良好な取付状態を維持するための前提となり、極めて重要な設計事項となる。
【特許文献１】特開平２００３−９６９５１
【発明の開示】
【発明が解決しようとする課題】
【０００５】
ところが、前記間仕切り本体の縦フレームは、鋼板等の板金素材をプレス工程やロールフォーミング工程を通じ塑性変形加工することによって所望の折曲形状に形成したものであるため、各係合孔の開口寸法は所定の金型を用いてプレス加工することにより正確なものとなるが、係合孔間の離間距離（ピッチ）は、プレス加工時やロールフォーミング加工時に若干の誤差が生じる場合がある。このようなピッチの誤差が生じた場合、特に係合孔が相互に離れる方向にピッチの誤差が大きくなった場合には、前記第１係合爪の弾性係合爪部の弾性変形量はその形状等により所定範囲内に制約されているため、弾性係合爪部の係合孔に対する係合が浅くなり、この弾性係合爪部と係合孔との係合状態が不安定なものとなり、その結果、パネルが間仕切り本体から外れ易くなるという不具合が発生する。つまり、従来の取付構造では、係合孔のピッチに誤差がある場合には、これら係合孔に対する第１係合爪及び第２係合爪の良好な係合状態を確保できないという問題があった。
【０００６】
本発明は、このような課題に着目してなされたものであって、主たる目的は、係合孔のピッチに誤差がある場合でもこれら係合孔にそれぞれ係合爪を確実に係合させることができる部材の取付構造を提供することにある。
【課題を解決するための手段】
【０００７】
すなわち、本発明の部材の取付構造は、一の部材に第１係合孔及び第２係合孔を所定ピッチで設け、他の部材に前記第１係合孔及び第２係合孔にそれぞれ係合可能な第１係合爪及び第２係合爪を設け、これら第１係合爪及び第２係合爪をそれぞれ第１係合孔及び第２係合孔に係合させることにより前記一の部材に前記他の部材を取り付けるようにしたものであって、前記第１係合爪が、前記第１係合孔に弾性係合可能な弾性係合爪部と、前記第１係合孔に対する当該第１係合爪の相対位置を前記弾性係合爪部が第１係合孔に係合し得る位置に位置決めする位置決め部とを備えたものであり、前記第２係合爪が、前記第１係合孔と前記第２係合孔とのピッチの誤差を許容しつつ前記第２係合孔に係合可能なものであることを特徴とする。
【０００８】
このようなものであれば、位置決め部を介して第１係合孔と第１係合爪との相対位置を位置決めすることにより、第１係合爪の弾性係合爪部と第１係合孔との良好な係合状態を確保することができるとともに、第２係合爪が第２係合孔との係合状態を解除することなくピッチの誤差を許容するものであるため、第１係合孔と第２係合孔とのピッチに多少の誤差がある場合でも、そのピッチの誤差を第２係合爪によって吸収することができる。このように、第１係合孔と第２係合孔とのピッチにばらつきが生じた場合でも、各係合孔にそれぞれ第１係合爪及び第２係合爪を確実に係合させることができ、従来のように一の部材と他の部材との取付状態がピッチのばらつきに左右されるという不具合を解消することができ、実用性に優れたものとなる。
【０００９】
特に、前記位置決め部が、前記第１係合爪を前記第１係合孔に係合させた係合状態において、前記第１係合孔の縁部のうち前記弾性係合爪部が当接して弾性係合する縁部とは異なる縁部に当接又は近接するものであれば、第１係合孔に対する第１係合爪の相対位置を確実に位置決めすることができる。
【００１０】
より具体的には、前記第１係合孔が略矩形状をなすものであり、前記第１係合爪を前記第１係合孔に係合させた係合状態において、前記弾性係合爪部が第１係合孔の対向する対向縁部の一方の縁部に当接して弾性係合し、前記位置決め部が他方の縁部に当接又は近接するものであることが好ましい。ここで、対向縁部とは、上縁部と下縁部、又は一方の側縁部と他方の側縁部を意味する。このようなものであれば、第１係合孔に対する第１係合爪の相対位置をより確実且つ容易に位置決めすることができる。
【００１１】
第１係合孔と第２係合孔とのピッチに誤差が生じた場合に、この誤差を第２係合爪によって吸収するには、前記第２係合爪が、第１係合孔と第２係合孔とのピッチに応じて、第２係合孔との係合状態を維持したまま第２係合孔に対する相対位置をピッチ方向に変更し得るように設定すればよい。
【００１２】
具体的な実施態様としては、前記一の部材又は前記他の部材の何れか一方が、間仕切りを構成する間仕切り本体であり、他方が前記間仕切り本体の少なくとも前後面の何れか一方に取り付けられるパネルであり、相互に対向する前記間仕切り本体のフレーム又は前記パネルの内面部の何れか一方に前記第１係合孔及び前記第２係合孔を設け、他方に前記第１係合爪及び第２係合爪を設けているものが挙げられる。
【００１３】
この場合、前記第１係合孔及び前記第２係合孔を前記間仕切り本体の縦フレームの高さ方向に沿って設けるとともに、前記第１係合爪及び第２係合爪を前記パネルの内面部の高さ方向に沿って設け、前記第１係合爪の前記弾性係合爪部が、前記第１係合孔の上縁部に当接して弾性係合する上向爪であり、前記位置決め部が、第１係合孔の下縁部に当接又は近接するものであれば、この位置決め部が第１係合孔の下縁部に当接又は近接することにより、第１係合孔に対する第１係合爪の相対位置を簡単に位置決めすることができるとともに、弾性係合爪部を第１係合孔に確実に係合させることができる。
【００１４】
一方、前記第２係合爪が、前記第２係合孔の下縁部に引掛可能な下向爪部を備えたものであれば、第１係合孔と第２係合孔のピッチの誤差に応じて第１係合孔の下縁部に対する下向爪部の引掛度合いを変更するようにすることにより、第１係合孔と第２係合孔のピッチの誤差を吸収することができる。
【発明の効果】
【００１５】
以上説明したように、本発明によれば、第１係合孔と第１係合爪との相対位置を位置決め部を利用して位置決めすることにより、第１係合爪の弾性係合爪部と第１係合孔との良好な係合状態を確保することができるとともに、第２係合爪が第２係合孔とのピッチの誤差を許容しつつ第２係合孔との係合状態を解除しないように設定しているため、第１係合孔と第２係合孔とのピッチに多少の誤差がある場合でも、各係合孔にそれぞれ第１係合爪及び第２係合爪を確実に係合させることができ、一の部材と他の部材との良好な取付状態を維持することができる。
【発明を実施するための最良の形態】
【００１６】
以下、本発明の一実施形態について図を参照して説明する。
【００１７】
本実施形態では、本発明に係る部材の取付構造を図１等に示すような間仕切り１に適用している。
【００１８】
この間仕切り１は、図１及び図２に示すように、間仕切り１の骨格を形成する間仕切り本体２と、この間仕切り本体２の前後両面側に着脱可能に装着されるパネル３と、前記間仕切り本体２の上端部に取り付けられる笠木Ｋと、前記間仕切り本体２の下端部に取り付けられる巾木Ｈとを具備している。なお、図１では、笠木Ｋ及び巾木Ｈを想像線で示している。そして、本実施形態の間仕切り１は、前記間仕切り本体２とパネル３とによって閉止される位置である内部空間を配線類を収納し得る配線空間Ｓとしている。
【００１９】
以下、各部の構成について説明する。
【００２０】
間仕切り本体２は、図２に示すように、間仕切り１の側端面を形成する略鉛直方向に沿って配置した左右の縦フレーム２１と、これら左右の縦フレーム２１を連結する略水平方向に沿って配置した複数の横フレーム２２とを具備し、これら縦フレーム２１と横フレーム２２とを枠体状に連結している。
【００２１】
縦フレーム２１は、鋼板等の板金素材をプレス工程やロールフォーミング工程を通じ塑性変形加工することによって略角パイプ状に形成したのものであり、起立姿勢で配される。この縦フレーム２１の前面２１ａ及び後面２１ｂに、パネル３に設けた後述する第１係合爪６及び第２係合爪７が係合可能な略矩形状の係合孔２１１を高さ方向に沿って所定ピッチで複数形成している。
【００２２】
横フレーム２２は、鋼板等の板金素材をプレス工程やロールフォーミング工程を通じ塑性変形加工することによって横断面略下向きコ字形状に形成したのものであり、倒伏姿勢で配される。そして、横フレーム２２の左右側端面を前記左右の縦フレーム２１の内側面に当接させて、溶接等の適宜の手段で左右の縦フレーム２１間に取り付けてある。
【００２３】
パネル３は、図２に示すように板金製の板状部材を折り曲げて形成した面板部３１と、この面板部３１の内面部３１ａに充填した芯材３２とから構成したものである。このパネル３は、上下方向に沿って複数枚連設されることにより、前記間仕切り本体２の略全域を覆う位置に設けてある。
【００２４】
このような構成のものにおいて、本実施形態では、前記パネル３の面板部３１の内面部３１ａに、第１係合爪６及び第２係合爪７を面板部３１に取り付けるための第１取付金具４、第２取付金具５と、これら第１取付金具４及び第２取付金具５に取り付けられ且つ前記間仕切り本体２の係合孔２１１にそれぞれ係り合う第１係合爪６及び第２係合爪７とを設けている。そして、これら第１係合爪６及び第２係合爪７を利用して、前記間仕切り本体２の縦フレーム２１の前面２１ａ、後面２１ｂにパネル３を着脱可能に装着し得るようにしている。なお、図２中符号Ａで示すものは、パネル３の内面部３１ａに当接し、そのへこみを防止するへこみ防止部材である。
【００２５】
以下、各部の構成について説明する。
【００２６】
第１取付金具４は、図３又は図４に示すように、板金製の薄板状部材を折り曲げて形成したもので、前記パネル３の面板部３１の内面部３１ａの上端部近傍にそれぞれ左右対をなして溶接等の適宜の手段で取り付けてある。具体的には、前記面板部３１の内面部３１ａに取り付けてある正面視略矩形状の取付板４１と、この取付板４１の上縁部の略中央位置から一体に延出した頂壁４２１及びこの頂壁４２１の先端部から垂下させた垂下壁４２２から構成される上保持部４２と、前記取付板４１の下縁部の略中央位置から一体に延出した底壁４３１及び底壁４３１の先端部から起立させた起立壁４３２から構成される下保持部４３とを具備している。そして、これら取付板４１、上保持部４２及び下保持部４３によって包囲される空間を、第１係合爪６の一部が挿入可能な挿入空間４ｓに設定している。なお、前記下保持部４３の起立壁４３２には、正面視円形状の貫通孔４３３が設けてある。
【００２７】
このような構成をなす第１取付金具４に取り付けられる第１係合爪６は、図３乃至図５に示すように、前記左右の第１取付金具４に着脱可能に取り付けてある左右に対をなすものであり、前記第１取付金具４に対してパネル３の幅方向に沿って略水平方向にスライドさせることにより取り付けられるものである。本実施形態では、左右の第１係合爪６は、それぞれ逆方向、すなわち互いに離間する方向にスライドさせることにより第１取付金具４に取り付けられるように、互いに左右対称な構成を有している。なお、図５（ａ）はパネル３の前面側から見た場合においてパネル３の左側に配される第１係合爪６の平面図であり、同図（ｂ）、（ｃ）はそれぞれ同正面図、同側面図である。
【００２８】
この第１係合爪６は、合成樹脂素材からなる一体成形品であり、前記第１取付金具４の挿入空間４ｓ内に挿入される係合爪本体６１と、前記係合爪本体６１の下端部側に設けてある舌片６２と、所定の取付位置で前記第１取付金具４の上保持部４２、下保持部４３の各内側面に突き当たって第１取付金具４に対する位置決めを行う当たり部６３と、前記係合爪本体６１の左右端部から間仕切り１の内方に向って突出した左右一対の突出壁６４と、これら左右の突出壁６４間に設けてある弾性変形可能な弾性係合爪部６５と、これら左右の突出壁６４の下端部同士を接続し且つ係合孔２１１に対する第１係合爪６の相対位置を位置決めし得る位置決め部６６とを具備している。
【００２９】
係合爪本体６１は、パネル３の幅方向に沿ってスライドさせることによって、前記第１取付金具４の挿入空間４ｓ内に挿入される略矩形の枠体状をなすものである。
【００３０】
舌片６２は、前記係合爪本体６１の開口６１１内に位置するもので、その外側端側を前記係合爪本体６１の一部から延出し、内側端側を自由端とするものである。そして、この舌片６２は、挿入時に前記第１取付金具４の下保持部４３の起立壁４３２に押されて経過的に弾性変形し所定の取付位置で元の形状に復元して起立壁４３２に形成した貫通孔４３３に係り合う突部６２１を有している。
【００３１】
当たり部６３は、前記係合爪本体６１の内側端側に設けられ、前記係合爪本体６１の上下面よりも上下方向に延出した板状のものである。この当たり部６３が、所定の取付位置で前記第１取付金具４の上保持部４２、下保持部４３の内側面に突き当たって第１取付金具４に対する第１係合爪４の取付位置を位置決めするようにしている。
【００３２】
突出壁６４は、前記係合爪本体６１の開口６１１縁部から前方に突出する平板状の水平板部６７を挟んで起立させた一対のものであり、所定の取付位置で前記縦フレーム２１の係合孔２１１内に挿入される挿入部６４１と、前記縦フレーム２１の前面２１ａ又は後面２１ｂとパネル３の内面部３１ａとの間に介在する介在部６４２とを具備している（図９参照）。
【００３３】
弾性係合爪部６５は、水平板部６７の先端部に連続して設けられ、パネル３を間仕切り本体２に取り付ける際に、間仕切り本体２の縦フレーム２１に設けた係合孔２１１に係合可能な上向爪であり、係合孔２１１に挿入した時に、この係合孔２１１の上縁部に押されて経過的に弾性変形し、所定の取付位置で元の形状に復元して係合孔２１１の上縁部に係り合うものである。
【００３４】
位置決め部６６は、弾性係合爪部６５を係合孔２１１の上縁部に係合させた際に係合孔２１１の下縁部に当接または近接し得るものであり、係合孔２１１に対する第１係合爪６の相対位置を弾性係合爪部６５が係合孔２１１に係合し得る位置に位置決めするものである。本実施形態では、係合孔２１１への挿入をスムーズに行えるように、下面部に漸次上方に向かって反るように湾曲させたテーパ部６６１を形成している（図５参照）。
【００３５】
しかして、第１係合爪６の第１取付金具４への取付は、図３及び図４に示すように、左右の第１係合爪６を前記第１取付金具４の内側面側から互いに離間する方向へパネル３の幅方向に沿ってスライドさせ、前記係合爪本体６１を第１取付金具４の挿入空間４ｓ内へ挿入することにより行う。係合爪本体６１の挿入空間４ｓへの挿入時、舌片６２が、第１取付金具４の下保持部４３の起立壁４３２に押されて経過的に弾性変形し所定の取付位置で元の形状に復元することにより前記下保持部４３の貫通孔４３３に舌片６２の突部６２１が係合するとともに、図４において想像線で示すように、前記当たり部６３が、第１取付金具４の上保持部４２及び下保持部４３の内側面に突き当たることにより、第１取付金具４に対する第１係合爪６の取付位置が位置決めされる。
【００３６】
一方、第２取付金具５は、図６及び図７に示すように、板金製の薄板状部材を折り曲げて形成したもので、前記パネル３の面板部３１の内面部３１ａ側の下端部近傍に、それぞれ左右対をなして溶接等の適宜の手段で取り付けてある。具体的には、前記面板部３１の内面部３１ａに取り付けてある正面視略矩形状の取付板５１と、この取付板５１の上縁部の略中央位置から一体に延出した頂壁５２１及びこの頂壁５２１の先端部から斜め下方に傾斜させた傾斜壁５２２から構成される下向固定金具５２とを具備している。
【００３７】
このような構成をなす第２取付金具５に取り付けられる第２係合爪７は、図６及び図７に示すように、前記左右の第２取付金具５に対して着脱可能な左右に対をなすものであり、前記パネル３の幅方向に沿って略水平方向にスライドさせることにより取り付けられるものである。本実施形態では、左右の第２係合爪７は、それぞれ逆方向、すなわち互いに離間する方向にスライドさせることにより前記第２取付金具５に取り付けられるように互いに左右対称な構成を有している。
【００３８】
この第２係合爪７は、合成樹脂素材からなる一体成形品であり、略直方体状の係合爪本体７１と、前記第２取付金具５の下向固定部５２を挿入するための溝部７２と、係合爪本体７１から間仕切り本体２側に向って突出し且つ係合孔２１１の下縁部に引掛可能な下向爪部７３とを具備している。
【００３９】
溝部７２は、前記係合爪本体７１の外側面７１１及びパネル３と対向する対向面７１２側に開口している。この溝部７２は、外側面７１１側近傍の下向面７２ａから下方に突出した弾性変形可能なリブ７２１を有している。そして、このリブ７２１は、溝部７２に第２取付金具５の下向固定部５２を挿入した際に、経過的に弾性変形して下向固定部５２の挿入を許容し、所定の取付位置で元の形状に復元して前記下向固定金具５２の頂壁５２１の外側面に突き当って前記第２係合爪７の所定の取付位置からの移動を禁止するものである。なお、図６において符号７４で示すものは、軽量化等を図るために設けた肉抜部である。
【００４０】
第２係合爪７の第２取付金具５への取付は、左右の第２係合爪７を前記第２取付金具５の内側面側から互いに離間する方向へパネル３の幅方向に沿ってスライドさせることにより、前記溝部７２内に第２取付金具５の下向固定部５２を挿入することにより行う。下向固定部５２の溝部７２への挿入時、溝部７２の下向面７２ａに設けた前記リブ７２１は、前記第２取付金具５の頂壁５２１に押されて経過的に弾性変形することにより、前記第２取付金具５の挿入を許容するとともに、このリブ７２１が、所定の取付位置で元の形状に復元し、図７に示すように、前記第２取付金具５の頂壁５２１の外側面に突き当たることにより、前記第２係合爪７の所定取付位置からの移動が禁止され、第２取付金具５に対する第２係合爪７の取付位置が位置決めされる。
【００４１】
次に、第１取付金具４、第２取付金具５を介して第１係合爪６及び第２係合爪７を取り付けたパネル３を間仕切り本体２に取り付ける手順を図８及び図９を参照して説明する。
【００４２】
具体的には、第１係合爪６及び第２係合爪７をそれぞれ前記縦フレーム２１の前面２１ａ、２１ｂに形成した複数の係合孔２１１のうちから選択される異なる２位置の係合孔２１１に係合させることにより行う。以下の説明において、異なる２位置の係合孔２１１のうち、相対的に上方に位置する係合孔２１１を第１係合孔２１１Ａとし、下方に位置する係合孔２１１を第２係合孔２１１Ｂとする。なお、選択される第１係合孔２１１Ａと第２係合孔２１１Ｂは、パネル３の高さ寸法（換言すれば第１係合爪６と第２係合爪７との離間距離）に応じて適宜変更されるものであり、高さ方向に隣り合う係合孔２１１同士である場合、或いは高さ方向に沿って複数の係合孔２１１を跨いだ位置にある係合孔２１１同士である場合もある。
【００４３】
しかして、先ず、図８において想像線に示すように、パネル３の下端部側に設けた第２係合爪７の下向爪部７３を第２係合孔２１１Ｂの下縁部２１１Ｂａに上方から引っ掛ける。次いで、この下向爪部７３と第２係合孔２１１Ｂの下縁部２１１Ｂａとの引掛部位を支点にして、パネル３の上端部が縦フレーム２１に接近する方向にパネル３を回転させて、第１係合爪６の挿入部６４１及び位置決め部６６を第１係合孔２１１Ａ内に挿入する。その際、経時的に、弾性係合爪部６５が、第１係合孔２１１Ａの上縁部２１１Ａａに当接して下方に弾性変形し、第１係合孔２１１Ａの上縁部２１１Ａａを通過した時点で、図９に示すように元の形状に弾性復帰して第１係合孔２１１Ａの上縁部２１１Ａａの裏面側に位置することにより、第１係合孔２１１Ａと係合するとともに、位置決め部６６が第１係合孔２１１Ａの下縁部２１１Ａｂに当接することにより、第１係合孔２１１Ａに対する第１係合爪６の相対位置を、弾性係合爪部６５と第１係合孔２１１Ａとの係合状態を確保し得る位置に位置決めする。また、この取付状態において第２係合爪７の下向爪部７３が第２係合孔２１１Ｂの下縁部２１１Ｂａに係合している。このような簡単な作業により、第１係合爪６及び第２係合爪７をそれぞれ第１係合孔２１１Ａ、第２係合孔２１１Ｂに確実に係合させることができ、その結果、パネル３と間仕切り本体２との良好な取付状態を確保することができる。
【００４４】
ところで、間仕切り本体３の縦フレーム２１は、鋼板等の板金素材をプレス工程やロールフォーミング工程を通じ塑性変形加工することによって所望の折曲形状に形成したものであるため、係合孔２１１のピッチは、プレス加工時やロールフォーミング加工時に若干の誤差が生じる場合がある。次にこのような係合孔２１１のピッチに誤差が生じた場合における本発明に係る部材の取付構造の作用を説明する。
【００４５】
図１０（ａ）に示す縦フレーム２１は、前記図９に示す縦フレーム２１と比較して、第１係合孔２１１Ａと第２係合孔２１１Ｂとのピッチが若干大きくなったものである。このような場合、前述した取付手順を経ることにより、第１係合爪６の位置決め部６６を利用して、第１係合爪６の弾性係合爪部６５が第１係合孔２１１Ａの上縁部２１１Ａａに係合する位置に第１係合爪６の第１係合孔２１１Ａに対する相対位置を位置決めし、弾性係合爪部６５と第１係合孔２１１との良好な係合状態を確保する一方、図９に示す前記実施形態と比較して、下向爪部７３の基端部が第２係合孔２１１Ｂの下縁部２１１Ｂａからピッチ方向に沿って離れる方向に第２係合爪７が第２係合孔２１１Ｂに対する相対位置を変更しつつ、下向爪部７３と第２係合孔２１１Ｂの下縁部２１１Ｂａとの係合状態を確保している。
【００４６】
一方、図１０（ｂ）に示す縦フレーム２１は、前記図９に示す縦フレーム２１と比較して、第１係合孔２１１Ａと第２係合孔２１１Ｂとのピッチが小さくなったものである。このような場合、前述した手順を経ることにより、第１係合爪６の位置決め部６６を利用して、第１係合爪６の弾性係合爪部６５が第１係合孔２１１Ａの上縁部２１１Ａａに係合する位置に第１係合爪６の第１係合孔２１１Ａに対する相対位置を位置決めし、弾性係合爪部６５と第１係合孔２１１との良好な係合状態を確保する一方、図９に示す前記実施形態と比較して、下向爪部７３の基端部が第２係合孔２１１Ｂの下縁部２１１Ｂａにピッチ方向に沿って近寄る方向に第２係合爪７が第２係合孔２１１Ｂに対する相対位置を変更しつつ、下向爪部７３と第２係合孔２１１Ｂの下縁部２１１Ｂａとの係合状態を確保している。
【００４７】
このように、本実施形態に係る部材の取付構造は、第１係合爪６の位置決め部６５によって、前記弾性係合爪部６５が第１係合孔２１１Ａに係合し得る位置に第１係合爪６を位置決めするように設定しているため、弾性係合爪部６５と第１係合孔２１１とを確実に係合させることができるとともに、第１係合孔２１１Ａと第２係合孔２１１Ｂとのピッチの誤差に応じて第２係合爪７が第２係合孔２１１Ｂに対する相対位置を変更することにより、第２係合爪７と第２係合孔２１１Ｂとの係合状態を維持しつつ第１係合孔２１１Ａと第２係合孔２１１Ｂとのピッチの誤差を吸収することができる。このように、第１係合孔２１１Ａと第２係合孔２１１Ｂとのピッチにばらつきが生じた場合でも、各係合孔２１１Ａ、２１１Ｂにそれぞれ第１係合爪６及び第２係合爪７を確実に係合させることができ、間仕切り本体２とパネル３との取付状態が第１係合孔２１１Ａと第２係合孔２１１Ｂとのピッチの誤差によって左右されることなく、間仕切り本体２とパネル３との良好な取付状態を確保することができる。しかも、従来と同様の取付作業によって各係合孔２１１Ａ、２１１Ｂにそれぞれ第１係合爪６及び第２係合爪７を確実に係合させることができ、作業性を損なうことなく、実用性に優れたものとなる。
【００４８】
特に、第１係合孔２１１Ａが略矩形状をなすものであり、第１係合爪６を第１係合孔２１１Ａに係合させた係合状態において、弾性係合爪部６５が第１係合孔２１１Ａの上縁部２１１Ａａに当接して弾性係合し、位置決め部６６が第１係合孔２１１Ａの下縁部２１１Ａｂに当接又は近接するものであるため、第１係合孔２１１Ａに対する第１係合爪６の相対位置をより確実且つ容易に位置決めすることができる。
【００４９】
さらに、第２係合爪７が、第２係合孔２１１Ｂの下縁部２１１Ｂａに引掛可能な下向爪部７３を備えたものであるため、第１係合孔２１１Ａと第２係合孔２１１Ｂのピッチの誤差に応じて第１係合孔２１１Ａの下縁部２１１Ｂａに対する下向爪部７３の引掛度合いを変更するようにすることにより、第１係合孔２１１Ａと第２係合孔２１１Ｂのピッチの誤差を吸収することができる。
【００５０】
なお、本発明は、以上に詳述した実施形態に限られるものではない。
【００５１】
例えば、第１係合爪をパネルの下端部側に設け、第２係合爪をパネルの上端部側に設けた態様であっても構わない。また、間仕切り本体の横フレームに巾方向に沿って係合孔を所定ピッチで複数形成し、これら複数の係合孔から適宜選択される第１係合孔及び第２係合孔に対応させて第１係合爪及び第２係合爪をパネルの幅方向に所定距離離間して設けてもよい。なお、第１係合爪及び第２係合爪を、第１取付金具及び第２取付金具を介さずにパネルの内面部に直接設けても勿論構わない。
【００５２】
また、本発明に係る取付構造は、上記実施形態で示した間仕切り本体とパネルとの取付に限らず、例えば、デスクの下肢空間に配する幕板を脚に取り付ける場合等、一の部材に設けた係合孔に他の部材に設けた係合爪を係合させることにより、一の部材に他の部材を取り付けるようにしたもの全般に適用することができる。
【００５３】
また、第１係合孔が略矩形状をなすものである場合、第１係合爪をこの係合孔に係合させた係合状態において、前記弾性係合爪部が係合孔の一方の側縁部に当接して弾性係合し、前記位置決め部が他方の縁部に当接又は近接するものであってもよい。このような場合であっても、第１係合孔に対する第１係合爪の相対位置をより確実且つ容易に位置決めすることができる。一方、第１係合孔の対向する対向縁部（上縁部と下縁部、一方の側縁部と他方の側縁部）に弾性係合爪部又は位置決め部をそれぞれ当接させる態様ではなく、第１係合爪をこの係合孔に係合させた係合状態において、第１係合孔の縁部のうち弾性係合爪部が当接して弾性係合する縁部とは異なる縁部に当接又は近接するように設定した態様でもよい。この場合、第１係合孔が、略菱形状や台形状等異形状をなす場合には特に有用である。
【００５４】
また、上記実施形態に示した第１係合爪は、弾性係合爪部と位置決め部とを一体成形したものであるが、弾性係合爪部と位置決め部とを別体に成形したものであっても構わない。
【００５５】
その他、各部の具体的構成についても上記実施形態に限られるものではなく、本発明の趣旨を逸脱しない範囲で種々変形が可能である。
【図面の簡単な説明】
【００５６】
【図１】本発明の一実施形態に係る部材の取付構造を適用した間仕切りの全体斜視図。
【図２】同分解斜視図。
【図３】図２の要部拡大図。
【図４】図３におけるＡ矢視図。
【図５】同実施形態に係る第１係合爪を示す三面図。
【図６】図２の要部拡大図
【図７】図６におけるＡ矢視図。
【図８】作用説明図。
【図９】作用説明図。
【図１０】作用説明図。
【符号の説明】
【００５７】
１…間仕切り
２…間仕切り本体
２１…縦フレーム
２１ａ…前面
２１ｂ…後面
２１１…係合孔
２１１Ａ…第１係合孔
２１１Ａａ…上縁部
２１１Ａｂ…下縁部
２１１Ｂ…第２係合孔
２１１Ｂａ…下縁部
３…パネル
３１ａ…内面部
６…第１係合爪
６５…弾性係合爪部
６６…位置決め部
７…第２係合爪
７３…下向爪部
【図１】
2006241706.tif 000003
【図２】
2006241706.tif 000004
【図３】
2006241706.tif 000005
【図４】
2006241706.tif 000006
【図５】
2006241706.tif 000007
【図６】
2006241706.tif 000008
【図７】
2006241706.tif 000009
【図８】
2006241706.tif 000010
【図９】
2006241706.tif 000011
【図１０】
2006241706.tif 000012